(57)【特許請求の範囲】
【請求項１】
バルコニーの床面に設置された防水パンの四周側壁の上端フランジ部に、止水パッキンを介してフランジカバーが被着され、該フランジカバーを覆い隠す水切り部材がバルコニーの壁面に取付けられると共に、防水パンの四隅のコーナー部上端にコーナー止水部材が取付けられ、該コーナー止水部材を覆い隠すコーナー水切り部材が、その両端部を水切り部材の端部に重ねた状態で、バルコニーの壁面に取付けられていることを特徴とする防水パンの端仕舞構造。
【請求項２】
フランジカバーと水切り部材との間に第二の止水パッキンが介在されていることを特徴とする請求項１に記載の端仕舞構造。
【請求項３】
第二の止水パッキンがフランジカバー及び水切り部材のいずれか一方に取付けられ、他方のフランジカバー又は水切り部材の水平な面に該止水パッキンが密接していることを特徴とする請求項２に記載の端仕舞構造。
【請求項４】
フランジカバーがその側端に立上がり板を有するものであり、該立上がり板がバルコニーの壁面に固定されていることを特徴とする請求項１又は請求項２に記載の端仕舞構造。
【発明の詳細な説明】
【０００１】
【発明の属する技術分野】
本発明は、バルコニーに設置される防水パンの端仕舞構造に関する。
【０００２】
【従来の技術】
近年、合成樹脂製の防水パンを床面に設置したバルコニーが増えている。かかるバルコニーでは、防水パンの四周の側壁上部を防水テープでバルコニーの壁面に貼付けることにより、防水パンとバルコニー壁面との隙間をなくすと共に、この防水テープを貼付けた四周の側壁上部を覆う水切り部材をバルコニー壁面に固定して、防水パンとバルコニー壁面との隙間から漏水しないように防水パンの端仕舞を行うことが多い。
【０００３】
【発明が解決しようとする課題】
しかしながら、上記のごとき防水パンの端仕舞構造では、防水テープの貼付作業が面倒で手間がかかり、しかも、防水パンの四隅のコーナー部のところで皺や隙間が生じやすいため、熟練を要するという問題があった。
【０００４】
また、防水テープは経時的に粘着力が低下するため、年月がたつと剥離しやすくなって防水性が低下するという問題もあった。
【０００５】
更に、上記の端仕舞構造のように、防水パンの側壁上部を防水テープでバルコニー壁面に貼付ける場合は、防水パンを前後左右に少し移動させて位置調整を行うことも難しいという問題があった。
【０００６】
本発明は上記の問題に対処すべくなされたもので、熟練者でなくても漏水しないように手早く確実に施工できる防水パンの端仕舞構造を提供することを主たる目的とし、更に、防水パンの位置調整が可能な端仕舞構造とすることも目的としている。
【０００７】
【課題を解決するための手段】
上記目的を達成するため、本発明の請求項１に係る防水パンの端仕舞構造は、バルコニーの床面に設置された防水パンの四周側壁の上端フランジ部に、止水パッキンを介してフランジカバーが被着され、該フランジカバーを覆い隠す水切り部材がバルコニーの壁面に取付けられると共に、防水パンの四隅のコーナー部上端にコーナー止水部材が取付けられ、該コーナー止水部材を覆い隠すコーナー水切り部材が、その両端部を水切り部材の端部に重ねた状態で、バルコニーの壁面に取付けられていることを特徴とするものである。
【０００８】
この防水パンの端仕舞構造は、防水パンの四周の側壁上部を防水テープでバルコニー壁面に貼付ける必要が全くなく、四周側壁の上端フランジ部に止水パッキンを介してフランジカバーを被着する作業と、水切り部材をバルコニー壁面に取付ける作業を行うことによって、熟練者でなくても手早く確実に施工することが可能である。そして、水切り部材によって雨水等を防水パンの内部へ導入すると共に、止水パッキンによって防水パン側壁の上端フランジ部とフランジカバーとの間からの水洩れを防止できるものであり、従来の防水テープに見られるような剥離や防水性低下等の欠点も解消することができる。また、コーナー止水部材とコーナー水切り部材によって簡単に防水パンのコーナー部上端を水密的に仕舞処理することができ、防水パンのコーナー部においてフランジカバーや水切り部材の継目の仕口を大留め等に切断加工することが不必要となるので、施工性が一層向上する。
【０００９】
次に、本発明の請求項２に係る防水パンの端仕舞構造は、上記請求項１の端仕舞構造において、そのフランジカバーと水切り部材との間に第二の止水パッキンが介在されていることを特徴とするものである。
【００１０】
この防水パンの端仕舞構造では、第二の止水パッキンによってフランジカバーと水切り部材との間の水密性が確保されるので、水洩れ防止効果が更に顕著となる。
【００１１】
次に、本発明の請求項３に係る防水パンの端仕舞構造は、上記請求項２の端仕舞構造において、その第二の止水パッキンがフランジカバー及び水切り部材のいずれか一方に取付けられ、他方のフランジカバー又は水切り部材の水平な面に該止水パッキンが密接していることを特徴とするものである。
【００１２】
この防水パンの端仕舞構造のように、フランジカバー及び水切り部材のいずれか一方に取付けられた第二の止水パッキンが、他方のフランジカバー又は水切り部材の水平な面に密接していると、フランジカバーが防水パンと共に前後左右（水平方向）に少し移動しても、第二の止水パッキンは該水平面に密接した状態を保つため、水密性を損なうことなく防水パンの位置調整を行うことが可能となる。
【００１３】
次に、本発明の請求項４に係る防水パンの端仕舞構造は、上記請求項１又は２の端仕舞構造において、そのフランジカバーが側端に立上がり板を有するものであり、該立上がり板がバルコニーの壁面に固定されていることを特徴とするものである。
【００１４】
この防水パンの端仕舞構造は、フランジカバーの立上がり板がバルコニーの壁面に固定されているので、防水パンの位置調整はできないが、フランジカバーの立上がり板が防漏壁の役目を果たすため、フランジカバーと水切り部材との間から水が漏れても、該立上がり板によって外部への漏水を防止することが可能となる。
【００１７】
【発明の実施の形態】
以下、図面を参照して本発明の具体的な実施形態を詳述する。
【００１８】
図１は本発明の一実施形態に係る防水パンの端仕舞構造を採用して施工したルーフバルコニーの全体の断面図、図２は図１の円で囲んだ端仕舞部分の拡大断面図、図３は防水パンが位置調整によってバルコニー壁面側へ変位した状態を示す同端仕舞部分の拡大断面図、図４は防水パンが位置調整によってバルコニー壁面と反対側へ変位した状態を示す同端仕舞部分の拡大断面図、図５は同端仕舞部分の拡大分解断面図、図６は同端仕舞構造の構成部材を示す分解斜視図、図７〜図１１は同端仕舞構造の施工手順を順次説明するための説明図である。
【００１９】
図１において、１は合成樹脂製の防水パンであり、この防水パン１はルーフバルコニーの床面２に設置されている。図６に示すように、防水パン１は四周に側壁１ａを有するもので、側壁１ａの上端にはフランジ１ｂが形成されている。また、防水パン１の前縁には排水溝１ｃが形成され、この排水溝１ｃの端部に連なる凹部１ｄには、ドーム状のゴミ除け部材１ｅを嵌着した排水口が形成されている。そして、この排水口には、排水管３が下方から接続されている。
【００２０】
図１に示すように、防水パン１の裏側には、高さが少しずつ異なる複数の支持リブ１ｆが形成され、防水パン１の表面が家屋側から前方に向かって徐々に低くなるように流れ勾配が付けられている。従って、この防水パン１に降る雨水は、表面の流れ勾配によって前縁の排水溝１ｃに流入し、ゴミ除け部材１ｅを通過するときにゴミ等が除去されて、排水口から排水管３を通って排水されるようになっている。
【００２１】
尚、図６中、１ｇは防水パン１の表面に形成された細く浅い小溝の組み合わせからなる模様である。
【００２２】
この防水パン１の端仕舞は、図６に示す構成部品、即ち、止水パッキン４ａ、第二の止水パッキン４ｂ、フランジカバー５、水切り部材６、コーナー止水部材７、コーナー水切り部材８を用いて施工されている。
【００２３】
フランジカバー５はアルミニウム等の押出型材であって、図２，図５に示すように天板５ａの両側端から下方へ折れ曲がる側板５ｂ，５ｃと、天板５ａのほぼ中央から下方へ突き出す中板５ｄが形成されており、側板５ｂの下端には内側へ屈曲する係合部５ｅが形成されている。そして、この側板５ｂと中板５ｄと天板５ａとで囲まれる溝状の空間部５ｆ（図５参照）に、防水パン側壁１ａの上端フランジ部１ｂが嵌まり込むようになっている。
【００２４】
止水パッキン４ａは、図６に示すようなブチルゴム製の細帯状のパッキンであり、防水パン側壁１ａの上端フランジ部１ｂとフランジカバー５との間に介在させることによって水密性を高めるものである。この止水パッキン４ａは、図５に示すように、フランジカバー５の側板５ｂと中板５ｄとの間の天板５ａの裏面に予め取付けておくことが好ましい。
【００２５】
このように止水パッキン４ａを取付けたフランジカバー５を、図２に示すように防水パン側壁１ａの上端フランジ部１ｂに被着すると、フランジカバー５の側板５ｂと中板５ｄと天板５ａとで囲まれる溝状の空間部に嵌まり込んだ上端フランジ部１ｂが、該空間部から抜けないように側板５ｂの下端の係合部５ｅと係合し、上端フランジ部１ｂの上面が止水パッキン４ａに密着して水密性が高められる。
【００２６】
また、第二の止水パッキン４ｂは、フランジカバー５と水切り部材６との間に介在させることによって水密性を付与するものであり、ＥＰＤＭ（エチレン−プロピレンゴム）製の細帯状のゴムパッキンが使用される。この第二の止水パッキン４ｂは、図５に示すように、フランジカバー５の側板５ｃと中板５ｄとの間の天板５ａの裏面に予め両面テープ等で取付けられており、図２に示すように水切り部材６を取付けたとき、該水切り部材６の水平板６ｄの先端立上がり部６ｅの水平な上面が第二の止水パッキン４ｂに下方から密接して水密性が付与されるようになっている。
【００２７】
この水切り部材６は、フランジカバー５と同様のアルミニウム等の押出型材であって、図２，図５，図６に示すように、傾斜板６ａの上端と下端にそれぞれ立上がり板６ｂと垂下板６ｃが形成されており、この垂下板６ｃの中間部裏面に、上記の先端立上がり部６ｅを有する水平板６ｄが形成されたものである。
【００２８】
この水切り部材６は、図２に示すように、立上がり板６ｂを止具９でバルコニーの壁面１０に固定することによってフランジカバー５を覆い隠すように取付けられ、上述したように先端立上がり部６ｅの水平な上面が第二の止水パッキン４ｂに密接して水密性が付与される。そして、この水切り部材６の立上がり板６ｂを覆うように装飾板１１がバルコニー壁面１０に貼付けられ、この装飾板１１に降り注ぐ雨水が水切り部材６の表面を流落して垂下板６ｃの下端で水切されながら防水パン１の内部へ導入されるようになっている。
【００２９】
上記のように水切り部材６をバルコニー壁面１０に取付けると、フランジカバー５を側壁１ａの上端フランジ部１ｂに被着した防水パンは、図３に示す位置、即ち、フランジカバー５の側板５ｂ及び側板５ｃがそれぞれバルコニー壁面１０及び水切り部材６の水平板６ｄの先端立上がり部６ｅに当たる壁面寄りの位置と、図４に示す位置、即ち、フランジカバー５の側板５ｃ及び中板５ｄがそれぞれ水切り部材６の垂下板６ｃ及び水平板６ｄの先端立上がり部６ｅに当たる離隔位置との間で、位置調整することが可能となる。そして、このように位置調整をしても、水平板６ｄの先端立上がり部６ｅの水平な上面は常に第二の止水パッキン４ｂに密接した状態を維持するので、水密性を保つことができる。
【００３０】
コーナー止水部材７は合成ゴム製の部材であり、防水パン１のコーナー部上端の水密性を高めるものである。このコーナー止水部材７は、図７に示すように、裏面にＬ形の嵌合溝７ａが形成されており、この嵌合溝７ａに防水パン１のコーナー部上端のフランジ部１ｂを嵌め込むことによって、防水パン１のコーナー部上端に取付けられるようになっている。そして、このコーナー止水部材７の隣接する二側面には、それぞれ平らな突片７ｂと鉤形の突片７ｃが一体に形成され、これらの突片７ｂ，７ｃの上にフランジカバー５の端部が重ねられるようになっている。尚、突片７ｂと突片７ｃの間の切欠部７ｄは、フランジカバー５の中板５ｄが挿入される部分である。
【００３１】
また、コーナー止水部材７を覆い隠すコーナー水切り部材８はアルミニウムのダイキャスト成形品であって、図１０に示すように、内側に向かって流れ勾配がつくように傾斜した平面形状がＬ形の傾斜板８ａと、この傾斜板８ａの外側端縁から立上がる立上がり板８ｂと、この傾斜板８ａの内側端縁から垂れ下がる垂下板８ｃとを一体に成形したものである。この立上がり板８ｂの上端には外側へ屈曲するフランジ部８ｄが形成されており、図１１に示すようにコーナー水切り部材８を取付けると、該フランジ部８ｄが水切り部材６の立上がり板６ｂの上端に重なってバルコニー壁面１０に当接し、隙間が生じないようになっている。
【００３２】
この実施形態に係る防水パンの端仕舞構造は、上記の各構成部品を用いて、熟練者でなくても次の要領で手早く確実に施工することができる。
【００３３】
まず、図７，図８に示すように、防水パン１の四隅のコーナー部上端にコーナー止水部材７を上方から取付ける。このコーナー止水部材７の取付けは、該止水部材の裏面の嵌合溝７ａに防水パン１のコーナー部上端のフランジ部１ｂを嵌め込むことによって簡単に行うことができる。尚、このコーナー止水部材７は接着剤等で防水パン１のコーナー部上端に接着することが望ましい。
【００３４】
次いで、図８，図９に示すように、止水パッキン４ａ，４ｂを天板５ａの裏面に取付けたフランジカバー５を、防水パン１の四周側壁１ａの上端フランジ部１ｂに被着し、フランジカバー５の端部をコーナー止水部材７の突片７ｂ，７ｃに重ねる。フランジカバー５の被着作業は、既述したように、フランジカバー５の側板５ｂと中板５ｄと天板５ａとで囲まれる溝状の空間部５ｆに防水パン側壁１ａの上端フランジ部１ｂを嵌め込んで、側板５ｂの下端の係合部５ｅを該フランジ部１ｂに係合させることにより簡単に行うことができる。
【００３５】
次いで、図９，図１０に示すように、フランジカバー５を覆い隠す水切り部材６をバルコニー壁面１０に取付け、水切り部材６の水平板６ｄの先端立上がり部６ｅの上面を第二の止水パッキン４ｂに密接させる。この水切り部材６の取付けは、既述したように、水切り部材６の立上がり板６ｂを止具９でバルコニー壁面１０に固定することにより簡単に行うことができる。
【００３６】
次いで、図１０，図１１に示すように、コーナー止水部材７を覆い隠すコーナー水切り部材８を、その両端部が水切り部材６，６の端部に重なった状態で、バルコニー壁面１０に取付ける。このコーナー水切り部材８の取付けも、立上がり板８ｂを止具９でバルコニー壁面１０に固定することにより簡単に行うことができる。
【００３７】
そして最後に、図１，図２に示すごとく、水切り部材６の立上がり板６ｂ及びコーナー水切り部材８の立上がり板８ｂを覆うように化粧板１１をバルコニー壁面１０に貼付け，防水パン１の端仕舞を完成する。尚、場合によっては、図１１に一点鎖線で示すように、防水テープ１２を用いて水切り部材６の立上がり板６ｂとコーナー水切り部材８の立上がり板８ｂをバルコニー壁面１０に貼付けてもよい。
【００３８】
以上のように施工された防水パンの端仕舞構造にあっては、図２に示すように防水パン側壁１ａの上端フランジ部１ｂが、フランジカバー５の天板５ａの裏面に取付けられた止水パッキン４ａに密接するため、防水パン１の上端フランジ部１ｂとフランジカバー５の間の水密性が高められる。そして、水切り部材６の水平板６ｄの先端立上がり部６ｅの水平な上面が、フランジカバー５の天板５ａの裏面に取付けられた第二の止水パッキン４ｂに密接するため、フランジカバー５と水切り部材６の間の水密性も高められ、更に、防水パン１のコーナー上端にはコーナー止水部材７が取付けられているため、コーナー上端の水密性も高められる。従って、この端仕舞構造は防水性に優れ、水切り部材６の垂下板６ｃ及びコーナー水切り部材８の垂下板８ｃから防水パン１の内部へ落下する雨水を外部へ漏らすことなく、排水口から排水管３を通じて排水することができる。
【００３９】
しかも、この防水パンの端仕舞構造では、防水パン１の位置を、図３に示すバルコニー壁面寄りの位置と図４に示す離隔位置との間で自由に調整することが可能であり、このように位置調整しても、水切り部材６の水平板６ｄの先端立上がり部６ｅの水平な上面が常に第二の止水パッキン４ｂに密接するので水密性を保つことができる。
【００４０】
また、この防水パンの端仕舞構造のように、コーナー止水部材７とコーナー水切り部材８によって防水パン１のコーナー部上端を水密的に仕舞処理すると、防水パンのコーナー部においてフランジカバー５や水切り部材６の継目の仕口を大留め等に切断加工する必要がなくなり、施工性が一層向上する。
【００４１】
図１２は本発明の他の実施形態に係る防水パンの端仕舞構造の要部拡大断面図である。
【００４２】
この実施形態の端仕舞構造は、フランジカバー５の中板５ｄと側板５ｃとの間の天板５ａの裏面に第二の止水パッキンを取付けないで、水切り部材６の傾斜板６ａの裏面に形成した一組の脚片６ｆ，６ｆの間に第二の止水パッキン４ｂを取付け、この第二の止水パッキン４ｂをフランジカバー５の天板５ａの水平な上面に密接させることによって、フランジカバー５と水切り部材６の間の水密性を確保したものであり、水切り部材６の水平板６ｄの先端に立上がり部は形成されていない。
【００４３】
その他の構成は前記実施形態の端仕舞構造と実質的に同様であるので、図１２において対応する部材に同じ符号を付し、説明を省略する。
【００４４】
このような防水パンの端仕舞構造の場合も、施工が簡単で良好な防水性能を発揮することができる、そして、防水パン１の位置は、フランジカバー５の側板５ｂがバルコニー壁面１０に当たる壁面寄りの位置と、フランジカバー５の側板５ｃが水切り部材６の垂下板６ｃに当たる離隔位置との間で調整することが可能であり、このように位置調整しても、第二の止水パッキン４ｂが常にフランジカバー５の天板５ａの水平な上面に密接するため、フランジカバー５と水切り部材６との間の水密性を損なう心配はない。
【００４５】
図１３は本発明の更に他の実施形態に係る防水パンの端仕舞構造の要部拡大断面図である。
【００４６】
この防水パンの端仕舞構造に用いるフランジカバー５は、天板５ａを中板５ｄのところで切除している点、及び、天板５ａの上に断面鉤形の上板５ｅを形成して天板５ａと上板５ｅとの間に溝部５ｆを設けている点で、前述のフランジカバー５と異なっている。また、水切り部材６は、傾斜板６ａの上部を水平に形成している点、及び、傾斜板６ａの裏面に断面Ｌ形の支持脚６ｇを形成している点、及び、垂下板６ｃの裏面に水平板を形成していない点で、前述の水切り部材６と異なっている。そして、この水切り部材６の支持脚６ｇの水平部分をフランジカバー５の溝部５ｆに挿入すると共に、水切り部材６の傾斜板６ａの水平な上部の裏面に取付けた第二の止水パッキン４ｂを、フランジカバー５の上板５ｅの水平な上面に密接させることによって、フランジカバー５と水切り部材６の間の水密性を確保している。
【００４７】
その他の構成は前記実施形態の端仕舞構造と実質的に同様であるので、図１３において対応する部材に同じ符号を付し、説明を省略する。
【００４８】
このような防水パンの端仕舞構造の場合も、施工が容易で良好な防水性能を発揮することができる。そして、防水パン１の位置は、フランジカバー５の側板５ｂがバルコニー壁面１０に当たる壁面寄りの位置と、フランジカバー５の上板５ｅの側端が水切り部材６の支持脚６ｇの垂直部分に当たる離隔位置との間で調整することが可能であり、このように位置調整しても、第二の止水パッキン４ｂが常にフランジカバー５の上板５ａの水平な上面に密接するため、フランジカバー５と水切り部材６との間の水密性を損なう心配はない。
【００４９】
図１４は本発明の更に他の実施形態に係る防水パンの端仕舞構造の要部拡大断面図である。
【００５０】
この防水パンの端仕舞構造に用いるフランジカバー５は、上板を形成していない点、及び、中板５ｄに上下一組の水平板５ｇ，５ｇを形成している点で、前述の図１３に示すフランジカバー５と異なっている。また、水切り部材６は、支持脚を形成していない点、及び、フランジカバー５の水平板５ｇ，５ｇを挿入する溝部６ｈを裏側に形成している点で、前述の図１３に示す水切り部材６と異なっている。そして、この水切り部材６の溝部６ｈにフランジカバー５の水平板５ｇ，５ｇを挿入すると共に、水切り部材６の傾斜板６ａの水平な上部の裏面に取付けた第二の止水パッキン４ｂを、フランジカバー５の天板５ａの水平な上面に密接させることによって、フランジカバー５と水切り部材６の間の水密性を確保している。
【００５１】
その他の構成は前記実施形態の端仕舞構造と実質的に同様であるので、図１４において対応する部材に同じ符号を付し、説明を省略する。
【００５２】
このような防水パンの端仕舞構造の場合も、施工が容易で良好な防水性能を発揮することができる。そして、防水パン１の位置は、フランジカバー５の側板５ｂがバルコニー壁面１０に当たる壁面寄りの位置と、フランジカバー５の水平板５ｇ，５ｇの側端が水切り部材６の溝部６ｈの奥底面に当たる離隔位置との間で調整することが可能であり、このように位置調整しても、第二の止水パッキン４ｂが常にフランジカバー５の天板５ａの水平な上面に密接するため、フランジカバー５と水切り部材６との間の水密性を損なう心配はない。
【００５３】
図１５は本発明の更に他の実施形態に係る防水パンの端仕舞構造の要部拡大断面図である。
【００５４】
この端仕舞構造に使用されるフランジカバー５は、前述の図２，図５に示すフランジカバー５と同じものであり、また、水切り部材６も、水平板６ｄの先端立上がり部６ｅの上端がフランジカバー５の天板５ａに当たるように高く形成されている以外は、前述の図２，図５に示す水切り部材６と同じものである。そしてこの水切り部材６の水平板６ｄの先端立上がり部６ｅに第二の止水パッキン４ｂを取付け、その上面をフランジカバー５の天板５ａの裏面に密接させることによって、フランジカバー５と水切り部材６の間の水密性を確保している。
【００５５】
その他の構成は前記実施形態の端仕舞構造と実質的に同様であるので、図１５において対応する部材に同じ符号を付し、説明を省略する。
【００５６】
このような防水パンの端仕舞構造の場合も、施工が容易で良好な防水性能を発揮することができる。そして、防水パン１の位置は、フランジカバー５の側板５ｂがバルコニー壁面１０に当たる壁面寄りの位置と、フランジカバー５の中板５ｄが第二の止水パッキン４ｂに当たる離隔位置との間で調整することが可能であり、このように位置調整しても、第二の止水パッキン４ｂが常にフランジカバー５の天板５ａの水平な裏面に密接するため、フランジカバー５と水切り部材６との間の水密性を損なう心配はない。
【００５７】
図１６は本発明の更に他の実施形態に係る防水パンの端仕舞構造の要部拡大断面図である。
【００５８】
この端仕舞構造は、水切り部材６の一組の脚片６ｆ，６ｆの間に第二の止水パッキン４ｂを取付けないで、フランジカバー５の側板５ｃに第二の止水パッキン４ｂを取付け、該パッキン４ｂの下面を水切り部材６の水平板６ｄの上面に密接させることによって、フランジカバー５と水切り部材６の間の水密性を確保している点を除いて、前述の図１２に示す実施形態の端仕舞構造と同様に構成したものである。従って、図１６において対応する部材に同じ符号を付し、説明を省略する。
【００５９】
このような防水パンの端仕舞構造の場合も、施工が容易で良好な防水性能を発揮することができる。そして、防水パン１の位置は、フランジカバー５の側板５ｂがバルコニー壁面１０に当たる壁面寄りの位置と、第二の止水パッキン４ｂが水切り部材６の垂下板６ｃに当たる離隔位置との間で調整することが可能であり、このように位置調整しても、第二の止水パッキン４ｂが常に水切り部材６の水平板６ｄの上面に密接するため、フランジカバー５と水切り部材６との間の水密性を損なう心配はない。
【００６０】
以上説明した実施形態の端仕舞構造はいずれも、第二の止水パッキン４ｂをフランジカバー５及び水切り部材６のいずれか一方に取付け、他方のフランジカバー５又は水切り部材６の水平な面に該止水パッキン４ｂを密接させることによって、水密性を損なうことなく防水パン１の位置調整を行えるようにしたものであるが、位置調整の必要がない場合には、第二の止水パッキンを使用しなくても良好な防水性能を発揮させることができる。
【００６１】
図１７はそのような実施形態に係る防水パンの端仕舞構造を示したもので、第二の止水パッキンは省略されている。
【００６２】
この端仕舞構造に使用されるフランジカバー５は、その天板５ａの側端に立上がり板５ｈが形成されている以外は、前述した図２，図５に示すフランジカバー５と同じものであり、また、水切り部材６も前述した図２，図５に示す水切り部材６と同じものである。そして、このフランジカバー５の立上がり板５ｈを止具９でバルコニー壁面１０に固定すると共に、フランジカバー５の側板５ｃを水切り部材６の水平板６ｄの先端立上がり部６ｅに係合させて、フランジカバー５と水切り部材６との間の隙間をなくすようにしている。
【００６３】
その他の構成は前述した図１〜図１１に示す実施形態の端仕舞構造と同様であるので、図１７において対応する部材に同じ符号を付し、説明を省略する。
【００６４】
このような防水パンの端仕舞構造も施工が容易であり、防水パンの位置調整はできないけれども、フランジカバー５の立上がり板５ｈが防漏壁の役目を果たすので、フランジカバー５の側板５ｃと水切り部材６の水平板６ｄの先端立上がり部６ｅとの間から水が漏れても、該立上がり板５ｈによって外部への漏水を防止でき、良好な防水性能を発揮できる。
【００６５】
【発明の効果】
以上の説明から明らかなように、本発明の防水パンの端仕舞構造は、施工性に優れるため熟練者でなくても手早く確実に施工でき、しかも、防水性能が良好であり、また、防水パンの位置調整もできるといった顕著な効果を奏する。
【図面の簡単な説明】
【図１】本発明の一実施形態に係る防水パンの端仕舞構造を採用して施工したルーフバルコニーの全体の断面図である。
【図２】図１の円で囲んだ端仕舞部分の拡大断面図である。
【図３】防水パンが位置調整によってバルコニー壁面側へ変位した状態を示す同端仕舞部分の拡大断面図である。
【図４】防水パンが位置調整によってバルコニー壁面と反対側へ変位した状態を示す同端仕舞部分の拡大断面図ある。
【図５】同端仕舞部分の拡大分解断面図である。
【図６】同端仕舞構造の構成部材を示す分解斜視図である。
【図７】同端仕舞構造の施工手順を順次説明するための説明図であって、防水パンのコーナー部上端にコーナー止水部材を取付けるところを示したものである。
【図８】同端仕舞構造の施工手順を順次説明するための説明図であって、止水パッキンを取付けたフランジカバーを防水パンの側壁の上端フランジ部に被着するところを示したものである。
【図９】同端仕舞構造の施工手順を順次説明するための説明図であって、フランジカバーを覆い隠す水切り部材をバルコニー壁面に取付けるところを示したものである。
【図１０】同端仕舞構造の施工手順を順次説明するための説明図であって、コーナー水切り部材を取付けるところを示したものである。
【図１１】同端仕舞構造の施工手順を順次説明するための説明図であって、コーナー水切り部材の取付けが終わり施工が完了したところを示したものである。
【図１２】本発明の他の実施形態に係る防水パンの端仕舞構造の要部拡大断面図である。
【図１３】本発明の更に他の実施形態に係る防水パンの端仕舞構造の要部拡大断面図である。
【図１４】本発明の更に他の実施形態に係る防水パンの端仕舞構造の要部拡大断面図である。
【図１５】本発明の更に他の実施形態に係る防水パンの端仕舞構造の要部拡大断面図である。
【図１６】本発明の更に他の実施形態に係る防水パンの端仕舞構造の要部拡大断面図である。
【図１７】本発明の更に他の実施形態に係る防水パンの端仕舞構造の要部拡大断面図である。
【符号の説明】
１  防水パン
１ａ  防水パンの四周の側壁
１ｂ  防水パンの側壁の上端フランジ部
２  バルコニーの床面
４ａ  止水パッキン
４ｂ  第二の止水パッキン
５  フランジカバー
５ｈ  フランジカバーの立上がり板
６  水切り部材
７  コーナー止水部材
８  コーナー水切り部材
１０  バルコニー壁面
【図１】
0004638596.tif 000002
【図２】
0004638596.tif 000003
【図３】
0004638596.tif 000004
【図４】
0004638596.tif 000005
【図５】
0004638596.tif 000006
【図６】
0004638596.tif 000007
【図７】
0004638596.tif 000008
【図８】
0004638596.tif 000009
【図９】
0004638596.tif 000010
【図１０】
0004638596.tif 000011
【図１１】
0004638596.tif 000012
【図１２】
0004638596.tif 000013
【図１３】
0004638596.tif 000014
【図１４】
0004638596.tif 000015
【図１５】
0004638596.tif 000016
【図１６】
0004638596.tif 000017
【図１７】
0004638596.tif 000018